(57)【要約】【課題】クッション槽と氷蓄熱槽とを同一タンク内に収納して全体のコンパクト化、配管、配線の簡素化を図る。【解決手段】氷蓄熱槽２５と、クッション槽２７とを同一タンク２２内に配置し、氷蓄熱槽２３からクッション槽２７に冷水供給し、このクッション槽２７から水クーラー１７に冷水を供給し、その際、第１三方弁３８により水クーラー１７を配置した環境内の温度が所定温度となるようクッション槽２７から水クーラー１７へ供給する冷水供給量を制御し、第２三方弁３９によりクッション槽２７内の水温が一定となるよう水クーラー１７からの冷水をクッション槽２７と氷蓄熱槽２５とに分流する。クッション槽２７の設定温度に応じて氷蓄熱槽２５の設定温度を決めるようにし、氷蓄熱槽２５の水温をクッション槽２７の水温に近づけるようにしている。【選択図】図１
2011226658.tif 000002
【特許請求の範囲】
【請求項１】
所定空間内を冷却するための熱交換器に冷水を供給する冷却装置であって、
冷凍機によって内部に製氷されその融解水を冷水として収容する氷蓄熱槽と、前記氷蓄熱槽からの冷水を貯留して前記熱交換器に供給するクッション槽とを具備し、
氷蓄熱槽と前記クッション槽とを、同一タンク内に前記氷蓄熱槽から前記クッション槽へ冷水供給が可能なように仕切部で仕切った各室により構成してなる、
ことを特徴とする冷却装置。
【請求項２】
前記クッション槽の冷水の温度を、該クッション槽の設定温度に制御すると共に、前記冷凍機の運転停止を制御する制御手段を具備し、
前記制御手段は、前記氷蓄熱槽の冷水の温度が、前記クッション槽の設定温度に応じて決まる氷蓄熱槽の設定温度になるように、前記冷凍機の運転停止を制御する、
請求項１に記載の冷却装置。
【請求項３】
前記仕切部は、タンク底壁から立設された仕切板からなり、
前記氷蓄熱槽から前記クッション槽への冷水が、前記仕切板の上端を越えて供給される、
請求項１に記載の冷却装置。
【請求項４】
前記仕切板は、前記タンク底壁から一定高さ以上の部分に、前記氷蓄熱槽から前記クッション槽への供給水量が徐々に増大するように、切欠および貫通孔の少なくともいずれか一方が形成されている、
請求項３に記載の冷却装置。
【請求項５】
前記氷蓄熱槽を、下方に冷水通路を備えた別の仕切部で仕切って、前記クッション槽と前記氷蓄熱槽との間に、バッファ槽を配置した、
請求項１ないし４のいずれかに記載の冷却装置。
【請求項６】
恒温室と、請求項１ないし５のいずれかに記載の冷却装置とを備え、前記恒温室を前記所定空間とした、
ことを特徴とする環境試験装置。
【発明の詳細な説明】
【技術分野】
【０００１】
本発明は、恒温室等の所定空間の冷却に用いる冷却装置およびこれを備えた環境試験装置に関する。
【背景技術】
【０００２】
環境試験装置では、被試験物が配置される恒温恒湿室を、所望の恒温恒湿状態にするために、例えば、特許文献１に示されるように、冷却用の熱交換器、加熱用のヒーター、加湿用の蒸気噴射器を備えている。
【０００３】
この特許文献１の環境試験装置では、冷却用の前記熱交換器に冷水を供給するための冷媒タンクと、この冷媒タンク内の蒸発器に冷媒を供給する冷凍機とを含む冷凍システムを備え、上記冷凍機によって、前記熱交換器からの水を上記冷媒タンクで熱交換して冷却することで、恒温恒湿室の空気冷却に用いるようにしている。
【先行技術文献】
【特許文献】
【０００４】
【特許文献１】特開２００６−２８５４５４号公報
【発明の概要】
【発明が解決しようとする課題】
【０００５】
しかしながら、上記特許文献１の環境試験装置では、冷凍システム内に蓄熱タンクを備えていないので、冷凍機の運転時間が長くなると共に、恒温恒湿室の温度が、冷凍機の運転停止に伴う水温の変動を直接的に受けて不安定になり易いという難点があった。
【０００６】
そこで、例えば、図３に示すような冷水タンクを備えて蓄熱する環境試験装置用の冷却装置が考えられる。すなわち、この冷却装置では、恒温恒湿室１００内の空気を冷却する熱交換器としての水クーラー１０２、加熱装置１０３で駆動されて恒温恒湿室１００内の空気を加熱するヒーター１０３ａ、加湿装置１０４からの蒸気を噴射して恒温恒湿室１００内の空気を加湿する蒸気噴射器１０４ａを配置し、水クーラー１０２には、冷水タンク１０５から冷水を冷水ポンプ１０６によって分流型三方弁１０７を介して供給する一方、水クーラー１０２からの熱交換後の冷水及び三方弁１０７からの冷水を、冷凍サイクル内の熱交換器１０８と熱交換して冷却した後、冷水タンク１０５に戻すようにしている。この場合、熱交換器１０８では冷凍機１０９からの冷媒と水クーラー１０２からの水とが熱交換されるようになっている。
【０００７】
かかる構成の冷却装置１１０では、冷水として蓄熱するために、冷水タンク１０５が大きなものとなり、大きな設置スペースが必要となる。更に、冷水タンク１０５、水クーラー１０２及び熱交換器１０８の３つのユニットを備えており、これらの間を接続するための配管・配線工事が必要となり、その分コストが高くつくといった課題もある。
【０００８】
また、かかる冷却装置１１０では、水クーラー１０２側では恒温恒湿室１００内に配置されている図示しない湿度センサや温度センサの検出出力に基づいて、恒温恒湿室１００内が所望の温湿度状態となるよう三方弁１０７を制御して、冷水タンク１０５内の冷水の水クーラー１０２への供給量を制御している。一方、冷凍機１０９は、冷水ポンプ１０６吐出側に配置の図示しない温度センサの検出出力に基づいて、水タンク１０５内の水温が設定温度より上昇すると運転され、設定温度まで低下すると停止される。
【０００９】
このように冷凍機１０９は、恒温恒湿室１００内の温湿度の状態にかかわらず運転あるいは停止されるので、恒温恒湿室１００内の温湿度が安定している状態であっても、冷凍機１０９が運転あるいは停止されて冷水タンク１０５の水温が変動する結果、冷水タンク１０５から水クーラー１０２へ供給する冷水の水量を変化させなければならず、恒温恒湿室１００内の温湿度が不安定になるという課題もある。
【００１０】
本発明は、上述のような点に鑑みてなされたものであって、冷凍機の運転停止による温度の変動を可及的に低減すると共に、全体のコンパクト化、配管、配線の簡素化を図った冷却装置を提供することを目的とする。
【課題を解決するための手段】
【００１１】
上記目的を達成するために、本発明では次のように構成している。
【００１２】
本発明の冷却装置は、所定空間内を冷却するための熱交換器に冷水を供給する冷却装置であって、冷凍機によって内部に製氷されその融解水を冷水として収容する氷蓄熱槽と、前記氷蓄熱槽からの冷水を貯留して前記熱交換器に供給するクッション槽とを具備し、前記氷蓄熱槽と前記クッション槽とを、同一タンク内に前記氷蓄熱槽から前記クッション槽へ冷水供給が可能なように仕切部で仕切った各室により構成してなるものである。
【００１３】
所定空間は、冷却する必要のある空間であればよく、例えば、恒温室、恒温恒湿室、冷蔵室などである。
【００１４】
本発明では、冷水タンクに代えて氷蓄熱槽で蓄熱するので、タンクを小さくすることができ、しかも、氷蓄熱槽と所定空間内を冷却する熱交換器との間に、前記熱交換器に冷水を供給するクッション槽を設けているので、冷凍機の運転停止に伴って氷蓄熱槽の冷水の温度が変動してもクッション槽によって、熱交換器に供給する冷水の温度の変動を抑制することができる。
【００１５】
更に、同一タンク内に氷蓄熱槽とクッションタンクとを構成したことで冷却装置全体のコンパクト化、配管、配線の簡素化を図ることができる。
【００１６】
本発明において、好ましい態様は、前記クッション槽の冷水の温度を、該クッション槽の設定温度に制御すると共に、前記冷凍機の運転停止を制御する制御手段を具備し、前記制御手段は、前記氷蓄熱槽の冷水の温度が、前記クッション槽の設定温度に応じて決まる氷蓄熱槽の設定温度になるように、前記冷凍機の運転停止を制御するものである。
【００１７】
このように氷蓄熱槽の設定温度を、クッション槽の設定温度に応じて決めるようにしたので、氷蓄熱槽の水温をクッション槽の水温に近づけることが可能となり、これによって、氷蓄熱槽とクッション槽との水温差による相互干渉が抑制され、両者を仕切る仕切部の構成を簡素化することができる。
【００１８】
本発明において、別の好ましい態様は、前記仕切部は、タンク底壁から立設された仕切板からなり、前記氷蓄熱槽から前記クッション槽への冷水が、前記仕切板の上端を越えて供給されるものである。
【００１９】
仕切板の材質は、特に限定はなく、断熱板であってもよいし、金属板であってもよい。
【００２０】
本発明において、別の好ましい態様は、前記仕切板は、前記タンク底壁から一定高さ以上の部分に、前記氷蓄熱槽から前記クッション槽への供給水量が徐々に増大するように、切欠および貫通孔の少なくともいずれか一方が形成されている。
【００２１】
タンク底壁から一定高さは、氷蓄熱槽の熱交換部分である氷蓄熱コイルの上端の高さ以上である。
【００２２】
このように氷蓄熱槽から前記クッション槽への冷水の供給水量が徐々に増大するようにしたので、クッション槽の水温の急激な変動を抑制することができる。
【００２３】
本発明において、別の好ましい態様は、前記氷蓄熱槽を、下方に冷水通路を備えた別の仕切部で仕切って、前記クッション槽と前記氷蓄熱槽との間に、氷蓄熱槽のバブリングや熱的な影響が前記クッション槽に影響するのを抑制するバッファ槽を配置している。
【００２４】
本発明の環境試験装置は、恒温室と、上記本発明の冷却装置とを備え、前記恒温室を前記所定空間としたものである。
【００２５】
本発明の環境試験装置によれば、冷凍機の運転停止に伴う恒温室の温度変動を抑制することができる。また、同一タンク内に氷蓄熱槽とクッション槽とを構成したことで冷却装置全体のコンパクト化、配管、配線の簡素化を図ることができる。
【発明の効果】
【００２６】
このように、本発明によれば、氷蓄熱槽と熱交換器との間に、クッション槽を設けているので、冷凍機の運転停止に伴って氷蓄熱槽の冷水の温度が変動しても前記熱交換器に供給する冷水の温度の変動を抑制することができる。また、同一タンク内に氷蓄熱槽とクッション槽とを構成したことで冷却装置全体のコンパクト化、配管、配線の簡素化を図ることができる。
【図面の簡単な説明】
【００２７】
【図１】図１は本発明の実施形態に係る環境試験装置の構成を示す図である。
【図２】図２は第２仕切部の変形例を示す図である。
【図３】図３は従来の環境試験装置の構成を示す図である。
【発明を実施するための形態】
【００２８】
以下、本発明の実施形態を図面に基づいて詳細に説明する。
【００２９】
図１に本発明の実施形態に係る環境試験装置を示す。図１において、１０は、断熱材１１で囲まれてなる恒温恒湿室である。
【００３０】
この恒温恒湿室１０内は、仕切壁１２により試験片配置室１３と空調通路１４とに仕切られている。試験片配置室１３には、湿度センサ１５と温度センサ１６とが配置されている。空調通路１４には、試験片配置室１３内の空気温度が所定温度以上のときは試験片配置室１３内空気を冷却する水クーラー（熱交換器）１７、試験片配置室１３内の空気温度が所定温度以下のときは試験片配置室１３内空気を加熱する加熱装置１８、試験片配置室１３内の湿度が所定湿度以下のときは試験片配置室１３内に蒸気を噴射して空気に混入させる加湿装置１９、および空調通路１４内の空気を試験片配置室１３に吹き込むファン２０を備える。
【００３１】
この実施形態では、共用タンク２２を備えており、この共用タンク２２内は、板状の第１仕切部２３で２つの室２５，２７に仕切られている。以下の説明で室２５は氷蓄熱槽、室２７はクッション槽と称する。さらに本実施形態では、氷蓄熱槽２５とクッション槽２７との間に、バッファ槽２６を備えている。バッファ槽２６は、第１仕切部２３でクッション槽２７と仕切られ、第２仕切部２４で氷蓄熱槽２５と仕切られることで形成されている。
【００３２】
氷蓄熱槽２５とバッファ槽２６との間は下端側２４ａに氷蓄熱槽２５からバッファ槽２６への冷水通路となる隙間２８を持つ第２仕切部２４により仕切られ、バッファ槽２６とクッション槽２７との間は第２仕切部２４と対向してタンク底壁２２ａから立設されタンク底壁２２ａから所定高さの第１仕切部２３により仕切られている。
【００３３】
第１仕切部２３の上端側２３ａのタンク底壁２２ａからの高さは、少なくとも氷蓄熱槽２５内の熱交換部分である、氷蓄熱コイル２９の上端の高さＨ１と同等程度以上であることが必要である。また、この高さは、クッション槽２７側に設けたオーバーフロー管５０より下側に設定されるのが好ましい。このオーバーフロー管５０は、後述する冷水ポンプ３７を駆動していない停止時における水位よりも少し上側に配置されている。なお、２７ａは、冷水ポンプ３７によりクッション槽２７から冷水が吸引される吸引口を示す。
【００３４】
そして、その第１仕切部２３の形状は、氷蓄熱槽２５側からクッション槽２７に冷水を供給するに際してクッション槽２７内に一度に多量に冷水が供給されないような形状に設定されるのが望ましい。
【００３５】
氷蓄熱槽２５には、氷蓄熱コイル（アイスオンコイル）２９が配置され、下部にエアバブリングチューブ（空気泡発生管）３１が配置されている。エアバブリングチューブ３１は多数の開口を有し、図示しないエアブロワ（空気噴出装置）から強制給気される空気をその多数の開口から氷蓄熱コイル２９外周に向けてエアバブル（空気泡）の形態で上昇供給する。氷蓄熱コイル２９は、冷凍機３３に接続されている。氷蓄熱槽２５内下部には温度センサ３５が配置されている。
【００３６】
マイクロコンピュータを含む制御部３６は、温度センサ３５の温度検知信号に応じて冷凍機３３の運転停止を制御し、検出温度が、設定温度よりも高くなると運転を開始し、設定温度まで低下すると、運転を停止する。運転時には、冷凍機３３から氷蓄熱コイル２９に冷媒を供給して氷蓄熱コイル２９表面に製氷する。この製氷時には、エアバブリングチューブ３１からエアバブルを発生させない。また、停止時には、図示しないエアブロワを駆動してエアバブリングチューブ３１からエアバブルを発生させ、このエアバブルによって氷蓄熱槽２５内を攪拌して均一な温度分布にすると共に、氷蓄熱コイル２９表面の製氷を溶解させて氷溶解水を生成する。
【００３７】
この氷溶解水はバッファ槽２６を介してクッション槽２７に冷水として供給される。
【００３８】
クッション槽２７に供給された冷水は、冷水ポンプ３７によって分流型の第１三方弁３８の入力側開口３８ａに供給される。第１三方弁３８の一方の出力側開口３８ｂは水クーラー１７に接続され、他方の出力側開口３８ｃは第２三方弁３９の入力側開口３９ａに接続されている。第２三方弁３９の一方の出力側開口３９ｂはクッション槽２７に、他方の出力側開口３９ｃは氷蓄熱槽２５に接続されている。
【００３９】
制御部３６は、恒温恒湿室１０内の試験片配置室１３内に配置している湿度センサ１５や温度センサ１６の検知信号により試験片配置室１３内環境が所定環境となるように、第１三方弁３８を制御してクッション槽２７内の冷水を水クーラー１７に供給する。なお、水クーラー１７を使用しないときには、制御部３６は、第１三方弁３８を制御して、クッション槽２７内の冷水を水クーラー１７には供給せず、その全てを第２三方弁３９へ供給する。
【００４０】
また、制御部３６は、冷水ポンプ３７吐出側管路に配置した温度センサ４２の検知信号からクッション槽２７内の水温が設定温度となるように第２三方弁３９を制御する。
【００４１】
一方、氷蓄熱槽２５に蓄熱するための冷凍機３３は、温度センサ３５によって検出される温度が、設定温度よりも高くなると運転を開始し、設定温度まで低下すると、運転が停止される。
【００４２】
この実施形態では、クッション槽２７内の水温を一定に制御するようにしたので、冷凍機３３の運転停止に伴って氷蓄熱槽２５内の冷水の温度が変動してもクッション槽２７の水温、すなわち、水クーラー１７に供給する冷水の温度を一定に制御することができ、これによって、冷凍機３３の運転停止に伴って、恒温恒湿室１０の温度が変動するのを防止することができる。
【００４３】
この実施形態では、上述のように、共用タンク２２内に、氷蓄熱槽２５とクッション槽２７とを収納するために、氷蓄熱槽２５の水温を、クッション槽２７の水温に近づけるようにしている。
【００４４】
すなわち、氷蓄熱槽２５の水温の設定温度は、蓄熱のために一義的に決めるのではなく、クッション槽２７の水温の設定温度に応じて決めるようにしている。試験片配置室１３内の設定温度等に応じて、クッション槽２７の水温の設定温度が決まると、このクッション槽２７の水温の設定温度に応じて、氷蓄熱槽２５の水温の設定温度が決まる。
【００４５】
この設定によって、氷蓄熱槽２５の水温を、クッション槽２７の水温に近づけるようにしており、氷蓄熱槽２５とクッション槽２７との水温差による相互干渉が抑制され、氷蓄熱槽２５とクッション槽２７との一体化が可能になると共に、両槽２５，２７を仕切る第１仕切部２３も簡単な構成、例えば、金属製の仕切板にすることができる。
【００４６】
また、氷蓄熱槽２５とクッション槽２７との間に第２仕切部２４を設けることでバッファ槽２６を形成しているので、氷蓄熱槽２５のバブリングがクッション槽２７に影響するのを防止することができると共に、氷蓄熱槽２５とクッション槽２７とを断熱して温度差による干渉をさらに緩和することができる。
【００４７】
このようにしてクッション槽２７と氷蓄熱槽２５とを、同一タンク２２内を仕切部２３で仕切って構成したので、クッション槽２７と氷蓄熱槽２５とを別個独立のタンク構成とした場合に比べて、冷却装置の大型化、配管、配線の複雑化を解消することができる。
【００４８】
次に図２を参照して、第１仕切部２３の望ましい形状について説明する。クッション槽２７内の冷水Ｂの水面高さ（水位）は、少なくとも氷蓄熱槽２５内の熱交換部分である、氷蓄熱コイル２９の上端高さと同等程度以上であることが必要である。
【００４９】
そして、氷蓄熱槽２５内の冷水は第１仕切部２３の上端側２３ａを越えてクッション槽２７内に入り込むようになっている。
【００５０】
このような場合、クッション槽２７内に一度に氷蓄熱槽２５から温度が極めて低い冷水が大量に入り込んだのでは、クッション槽２７内の水温が急激に低下してしまい、クッション槽２７内の水温を一定に安定制御できなくなる。
【００５１】
そこで、本実施形態では、クッション槽２７内に一度に氷蓄熱槽２５から温度が低い冷水が大量に入り込まないように第１仕切部２３の上端側２３ａの形状を、徐々に冷水が入り込むことができる形状にしている。
【００５２】
以下、図２（ａ）ないし（ｄ）を参照して第１仕切部２３の上端側２３ａの形状を数例説明する。
【００５３】
図２（ａ）でその正面構成で示す第１仕切部２３Ａはその上端側２３ａの図で左右方向一方側が、仕切部下端から所定の最小高さＨ１の位置から上方へ向かうに伴い最大高さＨ２に至るまでその幅Ｗｘが漸次拡大する切欠２４１となっている。最大高さＨ２では最大幅Ｗｍａｘとなる。
【００５４】
このように上端側２３ａに切欠２４１を備えた第１仕切部２３Ａにおいては、氷蓄熱２５内からの冷水の水位がこの第１仕切部２３Ａの上端側２３ａの高さＨ１に達すると、冷水がクッション槽２７に入り始め、水位上昇に伴い、クッション槽２７に入り込む水量が増大する。水位高さが高くなるに伴い、切欠２４１の幅Ｗｘが漸次に拡大するのでクッション槽２７に入り込む水量が急増することはなく、これにより、クッション槽２７内の水温変動は抑制される。
【００５５】
図２（ｂ）でその正面構成で示す第１仕切部２３Ｂはその上端側２３ａ左右方向中央側が、所定の最小高さＨ１から上方へ向かうに伴い最大高さＨ２に至るまで漸次にそのＷｘが拡大する切欠２４２となっている。図２（ｂ）の場合も、図２（ａ）と同様に、氷蓄熱槽２５内からの冷水の水位が第１仕切部２３Ｂの上端側２３ａの高さＨ１に達すると、冷水がクッション槽２７に入り始めて、水位上昇するが、クッション槽２７に入り込む水量が急増することはなく、これにより、クッション槽２７内の水温変動は抑制される。
【００５６】
図２（ｃ）でその正面構成で示す第１仕切部２３Ｃは幅方向全体にわたり、所定の最小高さＨ１から最大高さＨ２の間で幅ΔＷ一定の複数の貫通孔２４３が幅方向に並んだ形状となっている。氷蓄熱槽２５内からの冷水の水位がこの第１仕切部２３Ｃの上端側２３ａの貫通孔２４３に達すると、冷水がクッション槽２７に入り始め、水位上昇に伴い、クッション槽２７に入り込む水量が増大する。貫通孔２４３の幅は第１仕切部２３Ｃ全体ではなく複数の貫通孔２４３により規定される幅に規制されるのでクッション槽２７に入り込む水量が急増することはなく、これにより、クッション槽２７内の水温変動は抑制される。
【００５７】
なお、第１仕切部２３Ｃの複数の貫通孔２４３の一部を円Ｃ１内に拡大して示す。
【００５８】
図２（ｄ）でその正面構成で示す第１仕切部２３Ｄは幅方向全体にわたり、所定の最小高さＨ１から最大高さＨ２までの間でΔＷｘが上方へ漸次に拡大する複数の逆三角形状の貫通孔２４４が幅方向に並んだ形状となっている。最大高さＨ２での幅はΔＷｍａｘである。この貫通孔２４４において最小高さＨ１から最大高さＨ２までの間で各貫通孔２４４個々の幅ΔＷｘの増加幅が小さく設定されることで、冷水がクッション槽２７に入り始め、水位上昇に伴い、クッション槽２７に入り込む水量が増大する増大率を抑制し、クッション槽２７における水温の一定化に寄与できるようにしている。
【００５９】
なお、第１仕切部２３Ｄの複数の貫通孔２４４の一部を円Ｃ２内に拡大して示す。
【００６０】
氷蓄熱槽２５内からの冷水の水位がこの第１仕切部２３Ｄの上端側２３ａの貫通孔２４４の最小高さＨ１に達すると、冷水がクッション槽２７に入り始め、水位上昇に伴い、クッション槽２７に入り込む水量が増大する。水位高さが高くなるに伴い、貫通孔２４４の幅ΔＷｘは、漸次に拡大すると共に第１仕切部２３Ｄ全体ではなく複数の貫通孔２４４により規定される幅に規制されるのでクッション槽２７に入り込む水量が急増することはなく、これにより、クッション槽２７内の水温変動は抑制される。
【００６１】
前記第１仕切部２３Ａ−２３Ｄそれぞれの上端の形状を上記のようにすることにより、氷蓄熱槽２５側から冷水がバッファ槽２６を介してクッション槽２７に供給される際に、一度に多量の冷水が供給されずに済み、これにより、クッション槽２７内の水温が乱されずに済む。
【００６２】
特に、恒温恒湿室１０内の空気温度が目標温度付近で変化するに伴い、氷蓄熱槽２５から第１仕切部２３の上端を介してクッション槽２７内に冷水を供給することでクッション槽２７内水温を調整する場合、一度に多量の冷水が供給されてきたのでは、水温調整が難しくなる。そこで、実施形態では、第１仕切部２３の上端形状を図２（ａ）の第１仕切部２３Ａないし図２（ｄ）の第１仕切部２３Ｄで示すように形成したから、クッション槽２７に一度に多量の冷水が供給されるようなことがなく、クッション槽２７内では水温を一定に制御することができるようになると共に、クッション槽２７から冷水が供給される水クーラー１７では、恒温恒湿室１０内を安定して冷却することができる。
【００６３】
以上説明したように本実施形態では、氷蓄熱槽２５の設定温度を、クッション槽２７の設定温度に応じて決めることによって、氷蓄熱槽２５の水温とクッション槽２７の水温とを近づけて同一の共用タンク２２内に一体化したので、クッション槽と氷蓄熱槽とを別個独立のタンク構成とした場合のように、全体の冷却装置の大型化や配管接続の複雑化を招いたり、各タンク内の掃除等それぞれのメンテナンスに時間がかかったり、コストがかったり、水漏れの頻度が増加するといったこともない。
【００６４】
上述の実施形態では、氷蓄熱槽２５とクッション槽２７との間に、バッファ槽２６を設けたけれども、本発明の他の実施形態では、バッファ槽２６は省略してもよい。
【００６５】
本発明の他の実施形態では、第１仕切部２３の上端２３ａは、切欠や貫通孔を有していなくてもよい。
【００６６】
上述の実施形態では、三方弁３８，３９を用いてそれぞれ分流したけれども、三方弁に限らず、分流できればよく、例えば、二方弁を２つ設けて分流弁を構成するなどしてもよい。
【産業上の利用可能性】
【００６７】
本発明は、恒温室などの所定空間を冷却する冷却装置及び環境試験装置として有用である。
【符号の説明】
【００６８】
１０  恒温恒湿室
１１  断熱材
１３  試験片配置室
１４  空調通路
１５  湿度センサ
１６  温度センサ
１７  水クーラー
１８  加熱装置
１９  加湿装置
２０  ファン
２２  タンク
２３  第１仕切部
２４  第２仕切部
２５  氷蓄熱槽
２６  バッファ槽
２７  クッション槽
３３  冷凍機
３７  冷水ポンプ
３８  第１三方弁
３９  第２三方弁
【図１】
2011226658.tif 000003
【図２】
2011226658.tif 000004
【図３】
2011226658.tif 000005